(57)【特許請求の範囲】
【請求項１】
横臥及び着座用家具の可動に据え付けられた部品を調節するための、家具駆動装置に構成された電気モータ作動線型駆動装置の制御のための装置であって、
1)   ケース(2)に配置され、電気モータ(9)、電気モータ(9)の下流で接続された減速トランスミッション、及び、各可動の家具部品を上昇させ、下降させるための往復要素(12)を移動させるための、前記トランスミッションにより駆動され得るネジ付きスピンドル(11)を含む１以上の駆動系＿、
2)   前記駆動系に備えられ、ばね機構により噛み合い状態に保持される切り換え可能な噛み合いカップリング＿(14)、
3)   噛み合いカップリング(14)を解除又は連結するための切り換え要素を備えた切り換え機構
4)   噛み合いカップリング(14)をその解除位置に保持できる別に作動し得るブロッキング機構(17)
を含み、
a)   ブロッキング機構(17)が、ブロッキングスライダー(18)を有し、ブロッキングスライダー(18)は、ケース(2)に対して移動するように誘導され、前記切り換え要素に直接または間接的に接続され、また、切り換え要素の連結位置の方向へバネにより負荷がかけられている、
b)   ブロッキングスライダー(18)が、別に作動する機構(21)により、噛み合いカップリング(14)の解除位置の方向へ、バネの負荷に抗して移動することができ、
c)    ブロッキングスライダー(18)上にラッチング要素が備えられ、
d)   ロッキングつめ(24)がケース(2)に可動に固定され、ロッキングつめ(24)は、スライダー(18)が噛み合いカップリング(14)の解除位置に対応する位置に達した時、ブロッキングスライダー(18)のラッチング要素の後ろで引っ掛ることができ、
e)   加えて、ケース(2)に対して可動であり、対応する家具部品が下降状態にあるときに、ロッキングつめ(24)をラッチング要素から解除するスライディング部分(25)を備えている、
ことを特徴とする、装置。
【請求項２】
請求項１の装置であって、ロッキングつめ(24)がブロッキングスライダー(18)のラッチング要素の後ろで引っ掛ることができる停止位置に向かって引っ張りバネ(27)により片寄らされている、ことを特徴とする装置。
【請求項３】
請求項１または２の装置であって、スライディング部分(25)がブロッキングスライダー(18)に平行に移動するよう誘導され、ブロッキングスライダー(18)の前端＿の方に向かってスライディング部分(25)が移動するときロッキングつめ(24)を解除する、突起状の連動要素(26)を有し、当該ブロッキングスライダー(18)の前端は噛み合いカップリング(14)に接続している点で特徴づけられる、装置。
【請求項４】
請求項１から３のいずれか１つの装置であって、ブロッキングスライダー(18)が、１以上のボーデンケーブル(22)により、引っ張りバネ(20)の力に抗して噛み合いカップリング(14)の解除位置の方向に移動可能な点で特徴づけられる、装置。
【請求項５】
請求項１から４のいずれか１つの装置であって、ブロッキングスライダー(18)がネジ付きスピンドル(11)の軸方向にケース(2)に対して移動するように誘導される点で特徴づけられる、装置。
【請求項６】
請求項１−５のいずれか１つの装置であって、ブロッキングスライダー(18)に備えられているラッチング要素が突起状のラッチングノーズ(23)の形である点で特徴づけられる、装置。
【請求項７】
請求項１−６のいずれか１つの装置であって、ブロッキングスライダー(18)のラッチング要素の後ろで引っ掛り得るロッキングつめ(24)がケース(2)に回転可能なように固定されている点で特徴づけられる、装置。
【請求項８】
請求項１−７のいずれか１つの装置であって、スライディング部分(25)がブロッキングスライダー(18)に平行に移動するよう誘導される点で特徴づけられる、装置。
【請求項９】
請求項１−８のいずれか１つの装置であって、スライディング部分(25)が手で作動されロッキングつめ(24)を解除する点で、特徴づけられる、装置。
【請求項１０】
請求項１から８のいずれか１つの装置であって、スライディング部分(25)がボーデンケーブル(22)とは別のボーデンケーブルにより作動されてロッキングつめ(24)を解除する点で特徴づけられる、装置。
【請求項１１】
請求項１−８のいずれか１つの装置であって、スライディング部分(25)が突起状のラッチングノーズ(23)の形状であるラッチング要素からロッキングつめ(24)を解除するために、作動レバー(28)により作動され得る点で特徴づけられる、装置。
【請求項１２】
請求項１１の装置であって、作動レバー(28)が各可動の家具部品の軸(3)に動かないように配置され、前記軸と共に回転し、 各家具部品の下降状態において、スライディング部分(25)を移動させ、その結果、ロッキングつめ(24)がラッチングノーズ (23)から解除され、噛み合いカップリング(14)がその連結位置に再び戻るように調節されている点で、特徴づけられる、装置。
【請求項１３】
請求項１−８のいずれかの１つの装置であって、ロッキングつめ(24)の解除のためのスライディング部分(25)が、各可動の家具部品の下降した位置では押し下げられている接続ピン＿により作動され得る点で、特徴づけられる装置。
【請求項１４】
請求項１３の装置であって、接続ピンがレバー機構＿によりスライディング部分(25)に接続され、押し下げられたときに前記スライディング部分を作動させることにより、特徴づけられる、装置。
【発明の詳細な説明】
【技術分野】
【０００１】
本発明は、横臥と着座用家具、特に健康管理部門用の家具、例えば、病人用ベッド、の可動に据え付けられた部品を調整するための、家具駆動装置に構成された電気モータで作動する線型駆動装置を制御する装置に関する。
【０００２】
そのような装置はケース内に設置され、電気モータ、その下流で連結された減速トランスミッション、減速トランスミッションにより駆動され得る、各可動の家具部品を上昇又は下降させるための往復要素を移動させるネジ付きスピンドル、を含む１以上の駆動系(drive train)を有する。
【０００３】
加えて、本発明の装置は、駆動系に備えられたバネ機構により噛み合いが保持されている切り換え可能なドッグクランチまたは噛み合いカップリング(claw coupling)、噛み合いカップリングを分離し又は連結する切り換え要素を備えた切り換え機構、及び、例えば緊急時の下降動作時に噛み合いカップリングを分離した状態に保持できる、別に作動可能なブロック機構を含む。
【背景技術】
【０００４】
特定の種類の電気モータ作動線型駆動装置はカップリングの連結時と解除時に噛み合いカップリング要素の各片側を十分に保護する必要があるという問題を含んでいた。カップリング要素の各片側が「殆どカップリングしていない」状態であるか又は「殆どカップリングしている」の状態にある稼働条件では、歯の配置は大きい負荷がかかるかもしれない。なぜならカップリングは負荷を受けながら、またはトルクが伝えられている間に切り換えられるからである。
【０００５】
カップリングと非カップリングが突然、不意に行われる切り換え機構はすでに提案されている（特許文献１）。その場合、上記歯の配置は、一方へ力をかけるバネ要素の影響により、切り換え要素の中間的位置を速やかに通過してカップリングと非カップリングは非常に短時間で行われ、そのためこれは長時間ではカップリング要素の片側が互いに擦れあい、粉砕的効果が生じることを避ける。
【０００６】
特に病人用ベッドや、健康管理用ベッドの場合、可動性家具部品の下降動作は、例えば電源異常時の場合、より速やかにまた駆動モータと独立して行われるべきという要件がある。これは、可動性家具部品が下降するとき、たとえ作業者が誤って、不正確な動作により再度カップリングを連結した場合であっても、カップリング要素が非カップリング状態にとどまることを確保するためである。
【０００７】
既に実用上の価値が認められている既知の構造（特許文献２）では、カップリングの非カップリング位置を保持できるブロッキング要素がある。後に可動家具部品が再度上方へ回転されるべきときは、この既知の構造では、ある状況では、カップリングが適時に連結せずその結果モータが当初負荷のない状態で稼働することが起こりうる。
【先行技術文献】
【特許文献】
【０００８】
【特許文献１】DE102012211508.0
【特許文献２】EP1800567B1
【発明の概要】
【発明が解決しようとする課題】
【０００９】
したがって本発明の目的は、噛み合いカップリングが家具部品の緊急の下降動作の後に再度連結し、線型駆動装置が各家具部品の再度の上昇動作に備えるようになることである。
【課題を解決するための手段】
【００１０】
本発明によればこの目的は以下の点で達成される。
-ブロック機構がブロッキングスライダーを有し、これはケースに対し移動するように導かれ、直接的又は間接的に切り換え要素に連結され、切り換え要素の接続位置の方向にバネで負荷がかけられている
-ブロッキングスライダーは、噛み合いカップリングが解除した位置の方向に向いたバネの負荷に抗して別の作動機構で移動できる。
-ラッチング要素がブロッキングスライダー上に設けられている。
-スライダーが噛み合いカップリングの解除位置に相当する位置に達した時、ブロッキングスライダーのラッチング要素の後ろで引っ掛る、ロッキングつめがケースに可動に固定されている。
及び
-加えて、ケースに対して動くことができるスライディング部分が備えられ、対応する家具部品の下降状態において、これによりロッキングつめが、ラッチング要素から分離され得る。
【００１１】
可動家具部品の下降動作の後に噛み合いカップリングを連結するため利用できる様々な可能な方法がある。この点で、スライディング部分によりブロッキングスライダーからロッキングつめを解除することが唯一重要な考慮されるべき点である。これは以下のように実施できる。
1.  スライディング部分は手でロッキング用つめを解除するように作動され得る。
2.  スライディング部分は別のボーデンケーブルによりロッキングつめを解除するように作動され得る。
3.  スライディング部分は作動レバーにより作動され得てロックキングつめを解除する。そのような作動レバーは例えば各可動家具部品の軸上にしっかりと固定され、軸とともに回転する。その場合、各家具部品の下降状態で、ロッキングつめをラチェット要素から解除し、噛み合いカップリングを再度自動的にその連結位置に戻すようスライディング部分が移動するように、作動レバーは据え付けられる。
4.  スライディング部分は、また、各可動家具部品の下降した位置では押し下げられている接続ピンによりロッキングつめを解除するように作動され得る。ここで接続ピンはレバー機構(lever chain)によりスライディング部分に連結し、押し下げられた時スライディング部分を作動するものである。
【００１２】
本発明による装置の構造はさらに具体化でき、ロッキングつめは、バネによって停止位置の方向に向けられる。停止位置ではロッキングつめはブロッキングスライダーのラッチング要素の後ろで引っ掛かることができる。その結果、ブロッキングスライダーを噛み合いカップリングの解除位置へ移動するとき、ロッキングつめは、ブロッキングスライダーの停止位置へ自動的に入る。
【００１３】
スライディング部分は好ましくはブロッキングスライダーと並行に移動するよう導かれ、連動突起を有し、スライディング部分が、噛み合いカップリングに連結されたブロッキングスライダーの前端の方向へ移動するとき、ロッキングつめを解除し、バネにより引っ張られているブロッキングスライダーは噛み合いカップリングの連結位置の方向へ移動できる。
【００１４】
ブロッキングスライダーは、好ましくは、ボーデンケーブルにより上記の引っ張りバネの力に抗して噛み合いカップリングの解除位置の方向へ移動できる。
【００１５】
加えて、ブロッキングスライダーはネジ付き軸の軸方向にケースに対して移動するよう導かれ得る。
【００１６】
特に好ましい構造はブロッキングスライダー上のラッチング要素が、突起状のラッチングノーズの形状であり、これによりロッキングつめが非常に単純な方法で作動され得る。
【００１７】
ブロッキングスライダーのラッチング要素又はラッチングノーズの後ろで引っ掛ることができるロッキングつめはケースに回転しうるように固定されることが望ましい。
【００１８】
スライディング部分はブロッキングスライダーに平行に移動するよう誘導され得、それにより、非常に単純で細長い構造にできる。
【図面の簡単な説明】
【００１９】
本発明は図面に例として示されている。以後図面を参照しながら詳細に述べる。
【図１】は二重駆動装置の形の電気モータ作動線型駆動装置の遠近図である。
【図２】は二重駆動装置の図１に示したものの左側の拡大した図であり、カップリングは連結され、ケースは除いてある。
【図３】は、カップリングが解除された図２と同じ図である。図面の図１は二重駆動装置１の形で電気モータで作動される線型駆動装置の全体図である。この場合、駆動装置の必須部品はケース２に入っている。
【００２０】
軸３と４が両側でケース２から付き出ている。これらは、直角に固定された各支持脚により横臥及び/または着座家具の対応する部品を上昇させまたは下降させる。ただし、これらの部品は図面に示されていないが、可動に据え付けられている。
【００２１】
図１に示された二重駆動装置は、例えば病人用ベッド用に考えられている。軸３は支持脚５により頭部を上昇させ下降させる。他方、軸４は支持脚６により脚部部品を作動するように取り付けられている。
【００２２】
スイッチケース７は二重駆動装置１の外側の中心に置かれている。その左横にカバーケース８があり、その中に緊急時の切り換え装置が置かれている。
【００２３】
緊急切り換え装置は、カップリングが解除状態にあるとき軸３と支持脚５により迅速かつ確実に、自重で頭部部品を下降させるため作動する。
【００２４】
同一の機構が脚部部品にも備えられうる。
【００２５】
すべてのケース部分２，７，８は図２からは除かれ、頭部用に備えられた左側駆動系を、全ての個々の部品と共に明瞭に見ることができる。
【００２６】
頭部部品用に備えられた駆動系は電気モータ７、電気モータの下流で連結するワームギアトランスミッション１０の形の減速トランスミッション、及び往復要素１２を移動させるためのこのトランスミッションにより駆動されえるネジ付き軸スピンドル１１を含む。この場合では往復要素１２は、軸３に固定された圧力レバー１３を作動させ、その結果、往復要素１２が軸方向へ移動するとき、軸３は回転する。往復要素１２の動く方向により頭部部品は軸３の回転により上昇または下降する。
【００２７】
駆動系のワームギアトランスミッション１０とネジ付きスピンドル１１の間に噛み合いカップリング１４が備えられ、これはスイッチングフォーク１５により解除又は連結される。
【００２８】
切り換え操作は、たとえば先行特許出願DE10 2012 211 508.0で述べられているように、スイッチケース７に据え付けられたスイッチ１６により正常モードの操作で行われる。
【００２９】
例えば病人用ベッドの場合に頭部部品が非常に迅速に降下されなければならない場合、また電源異常、または駆動系の故障の場合の緊急操作モードのため、噛み合いカップリング１４を、解除位置に確実に保持する別途作動しうるブロッキング機構１７が備えられている。この予防的手段は、緊急降下動作中に、カップリング装置の２個の各半分の噛み合い歯が確実に互いに分離した状態で保持されて、噛み合い歯が損傷しないようにすることを意図している。
【００３０】
ブロッキング機構１７はネジ付きスピンドル１１の長手方向にケースに対して移動するよう誘導されるブロッキングスライダー１８を有する。この配置では、ブロッキングスライダー１８は、スイッチ１６から来て、スイッチングフォーク１５に連結しているスイッチングスライダー１９と噛み合っている。この場合、ブロッキングスライダー１８はカップリングの連結方向に片寄るようバネにより負荷がかけられ、さらに具体的には引っ張りバネ２０により、負荷がかけられている。引っ張りバネ２０は一方ではブロッキングスライダー１８に、他方ではケース２に固定されている。
【００３１】
ブロッキングスライダー１８は、噛み合いカップリング１４の解除位置の方向へ、引っ張りバネ２０によるバネの負荷に抗して別の作動機構２１により移動しうる。２本のボーデンケーブル２２は図に示された実施態様では作動機構として備えられている。ボーデンケーブル２２は病人用ベッドの両側で届きやすい便利な位置に引き込まれ、その結果ボーデンケーブル２２はそこから作動され得る。
【００３２】
ケース２に回転するよう固定されたロッキングつめ２４と共に作用する、横に突き出たラッチングノーズ２３がブロッキングスライダー１８上に備えられている。
【００３３】
正常モードの操作では、ロッキングつめ２４は図２に示されるように作用しない位置をとっている。
【００３４】
もし、対照的に緊急の下降動作の場合に、ブロッキングスライダー１８がボーデンケーブル２２により図２の左の方へ移動するなら、スイッチングフォーク１５が噛み合いカップリング１４がその解除位置をとるように作動される。その配置では、ロッキングつめ２４は図３に示される位置でかみあっていて、ロッキングつめ２４はブロッキングスライダー１８のラッチングノーズ２３の後ろで噛み合い、その結果ブロッキングスライダー１８が図面の右側へ向かって動いて噛み合いカップリング１４が連結される位置へ至ることを防ぐ。
【００３５】
全機構はさらに、スライディング部分２５を含む。これはケース２に対して可動であり、対応する家具部品の下降状態において、ロッキングつめ２４をラッチングノーズ２３から解除することができ、ブロッキングスライダー１８を解放する。その結果、ブロッキングスライダー１８は図の右側へ移動できるようになり、噛み合いカップリング１４は再び連結する。
【００３６】
スライディング部分２５は、ブロッキングスライダー１８と平行に誘導され、突起状連動要素２６を有し、図面においてスライディング部分２５が右側、つまりブロッキングスライダー１８の前端（噛み合いカップリング１４に連結している）の方向へ移動するときに、ロッキングつめ２４を押す。それによりロッキングつめ２４は、引っ張りバネ２７によりかけられる引っ張り張力に抗して時計方向に回転し、それによりブロッキングスライダー１８のラチェットノーズ２３から離され、ブロッキングスライダー１８は引っ張りバネ２０のバネの負荷により右側に移動し、噛み合いカップリングは再び連結される。
【００３７】
スライディング部分２５の動きは種々の方法で達成され得る。唯一重要な点は、対応する家具部品が完全に下降した時、スライディング部分２５は、そこで図の右側に移動しロッキングつめ２４を作動し、噛み合いカップリング１４を連結し、その結果駆動系は再び稼働の準備状態となり、対応する家具部品はモータ７により再び上昇され得る、ということである。
【００３８】
図１からわかるように、作動レバー２８が軸３に回転しないように配置されている。作動レバー２８は支持脚５が下方へ回転した位置をとるとき、スライディング部分２５を作動する。図１では、スライディング部分２５の末端はケース２から横へ飛び出し、支持脚５が完全に下降したとき、スライディング部分２５の末端は図の右方向へ移動する。その結果、連動要素２６がロッキングつめ２４を回転させ図３に示される停止位置から外れさせる。ここにおいて、ロッキングつめ２４はブロッキングスライダー１８のラッチングノーズ２３の後にあり、図２に示される非作動の位置に至る。ロッキングつめ１４がこの位置にあるときは、ブロッキングスライダー１８は引っ張りバネ２０により右の方へ移動する、その際、噛み合いカップリング１４はその連結位置をとり得る。
【００３９】
しかし、あるいは、スライディング部分２５が手で作動されロッキングつめ２４を解除することもまた可能であろう。しかし、その場合、対応する家具部品の下降動作の後に、再びカップリングを自動的に連結する自動的機構を備えることが必要であろう。
【００４０】
別の実施態様（図に示されていない）では、ロッキングつめ２４は、別のボーデンケーブルにより作動され得る。
【００４１】
最後に、ロッキングつめ２４を解除するためのスライディング部分２５が接続ピン又は他の始動要素により作動されることも可能である。これらは、各可動の家具部品が下方に移動した位置にあるときに押し下げられている。その際、スライディング部分２５は対応するレバー機構(lever chain)により自動的に移動する。
【符号の説明】
【００４２】
１      二重駆動装置
２      ケース
３      軸
４      軸
５      支持脚
６      支持脚
７      スイッチケース
８      カバーケース    
９      電気モータ
１０    ワームギアトランスミッション
１１    ネジ付きスピンドル
１２    往復要素        
１３    圧力レバー
１４    噛み合いカップリング
１５    スイッチングフォーク
１６    スイッチ
１７    ブロッキング機構
１８    ブロッキングスライダー
１９    スイッチングスライダー
２０    引っ張りバネ             
２１    作動機構
２２    ボーデンケーブル
２３    ラッチングノーズ
２４    ロッキングつめ  
２５    スライディング部分
２６    連動要素
２７    引っ張りバネ
２８    作動レバー
【図１】
0005955359.tif 000002
【図２】
0005955359.tif 000003
【図３】
0005955359.tif 000004